(57)【要約】【課題】レシーバと該レシーバを支持する弾性支持部材の密閉性を接着剤等のシール材を塗布することなく向上させて音漏れが防止でき、さらに組立作業に起因する特性バラツキを抑制できるとともに接着剤を使用しないことにより組立性、分解性がよい挿入型イヤホンを提供する。【解決手段】挿入型イヤホン１０のレシーバユニット１２はコード２４に接続されたレシーバ本体１８とレシーバ本体１８を収容するハウジング２０とを備える。レシーバ本体１８はその前端部を包囲して該レシーバ本体１８とハウジング２０に対して密接配置されるガスケット２２により支持されている。又、レシーバ本体１８はその後端部を圧接する弾性を有するスペーサ３６が設けられることにより支持されている。【選択図】図１
2008109206.tif 000002
【特許請求の範囲】
【請求項１】
前端部に音導管を有するレシーバユニットと、前記レシーバユニットの音導管に装着されたイヤーチップとを備え、前記イヤーチップを外耳道に挿入した状態で使用するように構成された挿入型イヤホンにおいて、
前記レシーバユニットが、コードに接続されたレシーバ本体と、該レシーバ本体を収容するハウジングとを含み、
前記ハウジングに対して前記レシーバ本体を支持する弾性支持部材が設けられ、
前記弾性支持部材が、前記レシーバ本体の前端部を包囲して該レシーバ本体とハウジングに対して密接配置された部材と、前記レシーバ本体の後端部を圧接して配置された部材を含むことを特徴とする挿入型イヤホン。
【請求項２】
前記コードには、該コードが前記レシーバユニットのハウジングから抜け出るのを防止する抜け止め部が設けられ、
前記抜け止め部は、前記レシーバ本体の後端部を圧接して配置された部材を介して前記ハウジング内に圧接固定することを特徴とする請求項１に記載の挿入型イヤホン。
【請求項３】
前記レシーバ本体の後端部を圧接して配置された部材は、前記抜け止め部を前記ハウジング内に圧接固定していることを特徴とする請求項２に記載の挿入型イヤホン。
【請求項４】
前記コードは、前記ハウジングに形成された貫通部位を介して貫通され、
前記抜け止め部は、前記レシーバ本体の後端部を圧接して配置された部材により前記貫通部位の軸心からオフセットして保持されていることを特徴とする請求項３に記載の挿入型イヤホン。
【請求項５】
前記コードは、回路基板を介して前記レシーバ本体に接続され、
前記回路基板は、前記レシーバ本体の後端部を圧接して配置された部材によりハウジングに対して圧接固定されていることを特徴とする請求項１乃至請求項４のうちいずれか１項に記載の挿入型イヤホン。
【発明の詳細な説明】
【技術分野】
【０００１】
この発明は、挿入型イヤホンに関するものである。
【背景技術】
【０００２】
音導管を有するレシーバユニットと、このレシーバユニットに装着されたイヤーチップとを備えた挿入型イヤホンにおいて、このイヤーチップを外耳道に挿入した状態で使用するように構成されたものが公知である（特許文献１）。特許文献１の構造においては、レシーバとその外側を覆うフレームの間は、完全にシールができないため、シール材（例えば接着剤）を塗布して密閉度を上げるようにしている。これにより、レシーバの音孔から出る音は漏れることなく、フレームに設けられた音孔のみから放出することができ、レシーバとフレームの間から音漏れが防止されている。
【０００３】
又、レシーバに対して弾性材料で形成されたガスケットを被せ、それをハウジングに圧入固定したもが公知である（特許文献２，特許文献３）。これらは、主にガスケットの側面とハウジング内側の圧入により密閉度を上げ、音漏れの対策ととしている。ただし、複雑な曲線やコーナーを有したガスケットとハウジングを有している製品において、密閉性が完全に確保できない場合があり、その際は、接着剤等のシール材で音漏れを防止するのが一般的である。
【０００４】
なお、特許文献１においては、レシーバユニットは、該レシーバユニットを組み付ける際、所定形状を有するハウジングの内部空間に、レシーバ本体及びレシーバ本体に接続されたコードの端末部等を装填するようにしている。そして、前記コードは、ハウジング内に挿通されるとともにその端末部の近傍には、コブ状の結び目が形成されている。この結び目はレシーバ本体の後端面とレシーバユニットを覆うように設けられたハウジングの内面間に位置するように配置され、コードが引っ張られたときに、ハウジングと係合して引張力に抵抗するようにされている。
【特許文献１】特開２００３−１４３６８１号公報、段落００３０
【特許文献２】特開２００５−２５２４２０号公報
【特許文献３】特開２００５−２８６５００号公報
【発明の開示】
【発明が解決しようとする課題】
【０００５】
ところが、特許文献１の技術では、シール材で塗布した場合でも、塗布量のバラツキやシール材内に気泡が入り込むことによりレシーバとガスケットの間、及び前記ガスケットとハウジングの間の一部にピンホール状の隙間ができて完全にシールができないことがある。又、レシーバによっては、耐熱温度が低い物があり（例えば、バランスドアーマチャ型のレシーバ）、シール材として熱硬化型接着剤が使用できない等、接着剤の選定が難しい問題がある。さらに、シール材を使用する場合は、乾燥時間（すなわち、待ち時間）も必要となり、組み付け時間や工数が多くなる問題もある。なお、特許文献２や特許文献３のように接着剤等を使用してレシーバを固定しない場合には、実使用時にハウジングやレシーバに接続されたコードから伝達される振動により該レシーバが動いてしまい、音漏れの原因となる。
【０００６】
この発明の目的は、レシーバと該レシーバを支持する弾性支持部材及び弾性支持部材とハウジングの密閉性を接着剤等（以下、シール材という）を塗布することなく向上させて音漏れが防止でき、さらに組立作業に起因する特性バラツキを抑制できるとともにシール材を使用しないことにより組立性、分解性がよい挿入型イヤホンを提供することにある。
【課題を解決するための手段】
【０００７】
上記の目的を達成するために、請求項１に記載の発明は、前端部に音導管を有するレシーバユニットと、前記レシーバユニットの音導管に装着されたイヤーチップとを備え、前記イヤーチップを外耳道に挿入した状態で使用するように構成された挿入型イヤホンにおいて、前記レシーバユニットが、コードに接続されたレシーバ本体と、該レシーバ本体を収容するハウジングとを含み、前記ハウジングに対して前記レシーバ本体を支持する弾性支持部材が設けられ、前記弾性支持部材が、前記レシーバ本体の前端部を包囲して該レシーバ本体とハウジングに対して密接配置された部材と、前記レシーバ本体の後端部を圧接して配置された部材を含むことを特徴とする挿入型イヤホンを要旨とするものである。
【０００８】
請求項１の発明によれば、弾性支持部材のうち、レシーバ本体の後端部を圧接して配置された部材が、該レシーバ本体を前方へ押圧するため、レシーバ本体の前端部を包囲して圧接している部材とレシーバ本体間、及び、レシーバ本体の前端部を包囲して圧接している部材とハウジング間の密接が高まる。このため、レシーバ本体と該レシーバ本体を支持する弾性支持部材の密閉性が接着剤等のシール材を塗布することなく確保されて音漏れが防止される。又、シールのための接着剤は使用されないため、接着剤を使用する場合と異なり、レシーバと弾性部材との間、及び前記弾性部材とハウジングの間の一部にピンホール状の隙間ができることがなく、組立作業に起因する特性バラツキが抑制されるとともに組立性、分解性がよくなる。
【０００９】
請求項２の発明は、請求項１において、前記コードには、該コードが前記レシーバユニットのハウジングから抜け出るのを防止する抜け止め部が設けられ、前記抜け止め部は、前記レシーバ本体の後端部を圧接して配置された部材を介して前記ハウジング内に圧接固定することを特徴とする。
【００１０】
請求項２の発明によれば、コードの抜け止め部により、レシーバ本体の後端部を圧接して配置された部材を介して該レシーバ本体をハウジング内に圧接固定できる。
請求項３の発明は、請求項２において、前記レシーバ本体の後端部を圧接して配置された部材は、前記抜け止め部を前記ハウジング内に圧接固定していることを特徴とする。
【００１１】
請求項３の発明によれば、コードの抜け止め部は、ハウジングとレシーバ本体の後端部を圧接して配置された部材とにより挟圧されてハウジング内で固定されるため、コードの抜け止め部に大きな引張力が働いた際にも、抜け止め部がこの挟圧により保持されて、ハウジングから抜け出ることが防止される。
【００１２】
請求項４の発明は、請求項３において、前記コードは、前記ハウジングに形成された貫通部位を介して貫通され、前記抜け止め部は、前記レシーバ本体の後端部を圧接して配置された部材により前記貫通部位の軸心からオフセットして保持されていることを特徴とする。
【００１３】
請求項４の発明によれば、コードの抜け止め部に大きな引張力が働いた際に、前記レシーバ本体の後端部を圧接して配置された部材が障害となって、該抜け止め部がオフセット位置において挟圧により保持されることにより、請求項３の作用をより高めてハウジングから抜け出ることが防止される。
【００１４】
請求項５の発明は、請求項１乃至請求項４のうちいずれか１項において、前記コードは、回路基板を介して前記レシーバ本体に接続され、前記回路基板は、前記レシーバ本体の後端部を圧接して配置された部材によりハウジングに対して圧接固定されていることを特徴とする。
【００１５】
請求項５の発明によれば、回路基板がレシーバ本体の後端部を圧接して配置された部材によりハウジングに対して圧接固定されるため、回路基板とコードのワイヤとの接続部のハウジングに対する相対位置が安定するため、実使用において、コードのワイヤと回路基板との接続部の断線が防止できる。
【発明の効果】
【００１６】
この発明によれば、レシーバとレシーバを支持する弾性支持部材及び弾性支持部材とハウジングの密閉性を接着剤等のシール材を塗布することなく確保して音漏れが防止できる。本発明によれば、組立作業に起因する特性バラツキを抑制できるとともにシール材を使用しないことにより組立性、分解性がよい挿入型イヤホンとすることができる。
【発明を実施するための最良の形態】
【００１７】
以下、本発明を具体化した一実施形態を図１〜５を参照して説明する。
本実施形態の挿入型イヤホン１０は、レシーバユニット１２とレシーバユニット１２の前端に設けられたイヤーチップ１４とからなっている。レシーバユニット１２は、その前端部（図１において右端部）に音導管１６を有しており、この音導管１６にイヤーチップ１４が装着されている。そして、この挿入型イヤホン１０は、イヤーチップ１４を外耳道に挿入した状態で使用するようになっている。レシーバユニット１２は、レシーバ本体１８と、このレシーバ本体１８を収容するハウジング２０と、レシーバ本体１８をハウジング２０に対して支持するためのガスケット２２と、レシーバ本体１８に接続されたコード２４とを備えている。
【００１８】
レシーバ本体１８は、略直方体の外形形状を有するバランスドアーマチャ型のレシーバで構成されている。なお、バランスドアーマチャ型のレシーバの代わりに、電磁型レシーバや圧電型レシーバを用いても良い。レシーバ本体１８の前端面の下端部には突出部１８ａが前方に延出されている。そして、該突出部１８ａには外部に開口された放音孔１８ｂが形成されている。又、図１に示すようにレシーバ本体１８の上面後端部近傍部位には端子１８ｃが設けられている。端子１８ｃはコード２４の端末部２４ａが接続された回路基板４０に接続されている。該回路基板４０は、本実施形態ではフレキシブル基板にて構成されているが、フレキシブル基板に限定されるものではなく、ガラエポ等の硬質の基板であってもよい。そして、このレシーバ本体１８は、コード２４を介して、回路基板４０、及び端子１８ｃから入力される信号電流に応じた音波を放音孔１８ｂから放射するようになっている。
【００１９】
レシーバ本体１８の周囲を包囲するように配置されたガスケット２２は、弾性を有する軟質材質にて有底筒状に形成されている。本実施形態では、ガスケット２２はシリコンゴムから形成されているが、他の合成ゴムや、エラストマから形成されていてもよい。ガスケット２２は本発明の弾性支持部材を構成する。又、本実施形態では、ガスケット２２の外形形状は断面円形状に形成されているが、この形状に限定されるものではなく、ハウジング２０内に対して着脱自在に嵌合できる形状であればよい。又、図１に示すようにガスケット２２の筒内は、レシーバ本体１８の収納孔２２ｃとされている。収納孔２２ｃの断面形状は四角形状に形成され、レシーバ本体１８が図１に示すようにガスケット２２の弾性力に抗して圧入して着脱自在に嵌合されている。なお、収納孔２２ｃの断面形状は、四角形状に限定されるものではなく、レシーバ本体１８の外形形状に相似形の形状であればよい、又、ガスケット２２の前端の内頂部には、貫通孔２２ａが形成されている。そして、貫通孔２２ａ内には前記レシーバ本体１８の突出部１８ａが着脱自在に挿入されている。
【００２０】
又、ハウジング２０は、レシーバ本体１８をガスケット２２を介して固定するハウジング本体２６と、ハウジング本体２６の後端開口部を閉塞するキャップ２８と、コード２４の端末部が貫通された状態でハウジング本体２６とキャップ２８間に配置されたコード引き出し部材３０とからなっている。
【００２１】
ハウジング本体２６はアルミニウム等の金属から略円筒状に形成されている。なお、ハウジング本体２６の材質は金属製に限定されるものではなく、ポリカーボネート樹脂等の硬質の合成樹脂や、軟質の合成樹脂から形成されていてもよい。
【００２２】
ハウジング本体２６はガスケット２２を介してレシーバ本体１８を収納する収納空間２６Ａａを有するレシーバ本体収納部２６Ａと、レシーバ本体収納部２６Ａから後方へ延びるように形成されてコード引き出し部材３０と嵌合する嵌合部２６Ｂと、レシーバ本体収納部２６Ａの前端面から前方へ円筒状に延びる外筒部２６Ｃとからなっている。
【００２３】
レシーバ本体収納部２６Ａの内周面の断面形状は、ガスケット２２の外形の断面形状と略同一形状に設定されている。そして、レシーバ本体１８は、図１に示すように端子１８ｃに対して回路基板４０及びコード２４の端末部２４ａが接続された状態で、レシーバ本体収納部２６Ａの後方からガスケット２２を介してレシーバ本体収納部２６Ａの収納空間２６Ａａに対して圧入して着脱自在に嵌合されている。ガスケット２２の外周には、複数の突条２２ｂが併設されている。そして、ガスケット２２は、レシーバ本体収納部２６Ａに対して圧入された際に突条２２ｂが弾性変形されることにより密嵌される。
【００２４】
嵌合部２６Ｂは、図２に示すように、レシーバ本体収納部２６Ａの外径よりも外径が短くされていてレシーバ本体収納部２６Ａの外周面とは段部が形成された外周面を有する。又、嵌合部２６Ｂには、図２に示すように後端から切込みされた一対の嵌合溝２６Ｂａが形成されることにより、嵌合部２６Ｂは一対の分割片２６Ｂｂが形成されている。なお、図２では、１つの嵌合溝２６Ｂａのみ図示されている。一対の嵌合溝２６Ｂａは、本実施形態では図１に示すように嵌合部２６Ｂの周部において互いに１８０度反対位置に設けられている。なお、一対の嵌合溝２６Ｂａが設けられる位置は限定されるものではなく、嵌合部２６Ｂの周部において適宜の位置でよい。
【００２５】
コード引き出し部材３０は、例えば合成ゴムやエラストマ等の弾性材から形成されている。コード引き出し部材３０は、図１，図２及び図５に示すように、上部には円筒状の嵌合筒部３０Ａを有し、下部には嵌合筒部３０Ａに対して一体に連結されたコード引き出し部３０Ｂを備えている。
【００２６】
嵌合筒部３０Ａの内周面は、図５に示すように断面円形状をなすとともに、図５に示すように一対の回り止め突起３０Ａａが形成されている。一方の回り止め突起３０Ａａは、コード引き出し部３０Ｂに対応した位置に設けられている。そして、回り止め突起３０Ａａは図４に示すように嵌合部２６Ｂの各嵌合溝２６Ｂａに対して嵌入されている。そして、嵌合筒部３０Ａは図１及び図４に示すようにハウジング本体２６の嵌合部２６Ｂに圧入されて外嵌されている。
【００２７】
前記回り止め突起３０Ａａの先端の両側には、図５に示すように回り止め突起３０Ａａの内周面に沿って一対の翼部３０Ａｂが形成され、嵌合部２６Ｂの内周面に密接されている。この各回り止め突起３０Ａａが嵌合部２６Ｂの各嵌合溝２６Ｂａに対して嵌入されていることによりコード引き出し部材３０の嵌合部２６Ｂに対する回転が防止されている。
【００２８】
又、嵌合筒部３０Ａの軸心方向の長さは、嵌合部２６Ｂの長さよりも短くされ、図４に示すように嵌合部２６Ｂの先端（すなわち、ハウジング本体２６の後端）は嵌合筒部３０Ａから突出されている。さらに、嵌合筒部３０Ａは、嵌合部２６Ｂに対して外嵌されている状態では、その周面が図４に示すようにレシーバ本体収納部２６Ａの外周面と面一となるように厚みが設定されている。
【００２９】
図１に示すようにコード引き出し部材３０には、一方の回り止め突起３０Ａａ及びコード引き出し部３０Ｂの両者を共に貫通する挿通孔３０Ｂａを介してコード２４が挿通されている。コード２４はレシーバ本体１８の端子１８ｃに回路基板４０を介して接続されている。コード引き出し部材３０の嵌合筒部３０Ａ内に収容されたコード２４の端末部近傍部位には、コブ状の結び目２４ｂが形成されている。この結び目２４ｂはコード２４が引っ張られたときに、この結び目２４ｂとコード引き出し部材３０（すなわち、一方の回り止め突起３０Ａａ）とが係合して引張り力に抵抗するようになっている。結び目２４ｂは抜け止め部に相当する。
【００３０】
嵌合部２６Ｂにおいて、嵌合筒部３０Ａから突出された先端には、図１及び図４に示すように有蓋円筒状のキャップ２８が着脱自在に外嵌され、嵌合部２６Ｂの後端開口部が閉塞されている。キャップ２８の内周面には環状溝２８ａが形成されている。環状溝２８ａには嵌合部２６Ｂの先端外周において周方向に形成された突条２６Ｂｃが係入されている（図１参照）。そして、キャップ２８が嵌合部２６Ｂに対して嵌合される際に、嵌合部２６Ｂの両分割片２６Ｂｂが弾性力に抗して接近した後、環状溝２８ａ内に突条２６Ｂｃが前記弾性力により圧入されて係合されている。突条２６Ｂｃが環状溝２８ａ内に係入されることにより、キャップ２８は、容易には嵌合部２６Ｂから取り外しできないようにされている。
【００３１】
図１及び図５に示すように、嵌合筒部３０Ａ内には弾性支持部材を構成するスペーサ３６が配置されている。スペーサ３６は合成ゴムや或いはエラストマから形成され、本実施形態では、短辺が略円弧状のトラック形の柱体形状に形成されている。そして、コード引き出し部材３０の嵌合筒部３０Ａ内において、スペーサ３６は、図５に示すように嵌合筒部３０Ａの径方向に配置された両端がそれぞれ嵌合筒部３０Ａの内周面に弾性的に当接されている。又、スペーサ３６は図１に示すように前後両端がそれぞれレシーバ本体１８及びコード２４の結び目２４ｂに対して弾性的に当接されている。コード２４の結び目２４ｂは、スペーサ３６の弾性的な当接により図１に示すようにキャップ２８とスペーサ３６間において挟圧されるとともにスペーサ３６により、挿通孔３０Ｂａの軸心Ｏからオフセットして配置して保持されている。すなわち、スペーサ３６は挿通孔３０Ｂａに対して離間した状態で重ね合うように配置されている。
【００３２】
又、図１に示すようにスペーサ３６は回路基板４０を嵌合筒部３０Ａの内周面に対して弾性的に押圧している。このスペーサ３６による回路基板４０への押圧により、回路基板４０が嵌合筒部３０Ａ内において一定位置に保持されてその変位が防止され、端末部２４ａと回路基板４０との半田付け部分（接続部）が断線させないようにされている。
【００３３】
一方、キャップ２８が嵌合部２６Ｂに取着されていることによりキャップ２８、結び目２４ｂ、及びスペーサ３６を介してレシーバ本体１８が押圧され、レシーバ本体１８の前端がガスケット２２の前端部の内頂部に押圧されている。この押圧によって、ガスケット２２の内頂部及び該内頂部に近傍の収納孔２２ｃを区画する壁面が、弾性的に変形されてレシーバ本体１８の前端部に対し密接されている。又、ガスケット２２の内頂部がレシーバ本体１８の前端部に押圧されていることにより、ガスケット２２の前端部がハウジング本体２６の収納空間２６Ａａの内頂部に密接されている。このようにして、レシーバ本体１８、ガスケット２２、ハウジング本体２６の前端部間の密閉度が上がり該部位間の音漏れが防止されている。
【００３４】
図１に示すように、ハウジング本体２６の外筒部２６Ｃは、その前端部に外周側へ突出する環状フランジ部２６Ｄａが形成されている。この外筒部２６Ｃの内周側空間２６Ｄｄは、レシーバ本体収納部２６Ａの収納空間２６Ａａと連通するように形成されるとともに、その後端部下面には切欠き部２６Ｄｅが形成されている。この切欠き部２６Ｄｅが形成されていることにより、レシーバ本体収納部２６Ａにレシーバ本体１８が挿入されたとき、その放音孔１８ｂが塞がれてしまわないようにして、内周側空間２６Ｄｄ及び後述する貫通孔３４との連通が図られている。そして、この外筒部２６Ｃの内周側空間２６Ｄｄには、内筒部材３２が前方側から挿着されている。前記外筒部２６Ｃと内筒部材３２とにより前記音導管１６が構成されている。
【００３５】
内筒部材３２は、例えばＡＢＳ樹脂等からなる射出成形品により形成され、円筒部３２Ａと、この円筒部３２Ａの前端部に外周側へ突出するように形成されたフランジ部３２Ｂとからなる。円筒部３２Ａの中心部に形成された貫通孔３４の前端部は、後端部及び中央部よりも大径のフィルタ収容部３４ａとして形成されている。円筒部３２Ａは、その前端近傍部位３２Ａａの外径が外筒部２６Ｃの内径と略同じ値に設定されており、それよりも後方側の部位の外径は外筒部２６Ｃの内径よりもやや小さい値に設定されている。
【００３６】
内筒部材３２は外筒部２６Ｃに挿着される際、図１に示すようにそのフランジ部３２Ｂが外筒部２６Ｃの前端面２６Ｄｂに当接することにより、軸線方向の位置決めが行われている。なお、内筒部材３２は、その円筒部３２Ａの前端近傍部位３２Ａａにおいて外筒部２６Ｃに対して摺接して嵌合されている。
【００３７】
この内筒部材３２の外筒部２６Ｃへの挿着により、音導管１６の音道１６ａが形成される。該音道１６ａは、内筒部材３２の貫通孔３４と、この貫通孔３４の後方側に僅かに露出する外筒部２６Ｃの内周側空間２６Ｄｄとで構成されることとなる（図１参照）。
【００３８】
又、図１に示すように内筒部材３２のフィルタ収容部３４ａには、不織布等からなる円板状の音響フィルタ３８が、接着あるいは両面テープでの貼着等により固定されている。
イヤーチップ１４は、例えばシリコーンゴム等の軟質材料で構成されており、筒状部１４Ａと、第１及び第２環状フランジ部１４Ｂ、１４Ｃとから構成されている。筒状部１４Ａには、音導管１６への装着によりその音道１６ａと連通する音道４２が筒状部１４Ａの軸心方向に沿って形成されている。
【００３９】
第１環状フランジ部１４Ｂは、筒状部１４Ａの先端部から基端部側へ略パラボラ状に広がるように形成されている。又、第２環状フランジ部１４Ｃは筒状部１４Ａの中間部から基端部側へ略パラボラ状に広がるように形成されている。
【００４０】
第１環状フランジ部１４Ｂは、その基端部から先端端部まで略同一肉厚で形成されている。第２環状フランジ部１４Ｃは、その基端部が中央部や先端部よりも厚肉で形成されるとともに、中央部や先端部が略同一肉厚で形成されている。又、第１環状フランジ部１４Ｂの先端部の外径は第２環状フランジ部１４Ｃの先端部の外径よりも小さい値に設定されている。又、第１環状フランジ部１４Ｂは、その基端及び筒状部１４Ａの前端面には断面円形状の凹部４４が形成されている。そして、イヤーチップ１４は、その筒状部１４Ａが音導管１６（外筒部２６Ｃ）に外嵌されるとともに、該筒状部１４Ａの後端面がレシーバ本体収納部２６Ａの前端面と密着されている。
【００４１】
さて、上記のように構成された挿入型イヤホン１０は、以下の効果を発揮する。
（１）  本実施形態の挿入型イヤホン１０は、レシーバユニット１２が、コード２４に接続されたレシーバ本体１８と、該レシーバ本体１８を収容するハウジング２０とを備えるようにした。そして、レシーバ本体１８の前端部を包囲して該レシーバ本体１８とハウジング２０に対して密接配置された部材として弾性支持部材であるガスケット２２を設けてレシーバ本体１８を支持するようにした。又、レシーバ本体１８の後端部を圧接して配置された部材として弾性支持部材であるスペーサ３６を設けて、レシーバ本体１８を支持するようにした。
【００４２】
この結果、レシーバ本体１８の後端部を圧接して配置されたスペーサ３６が、レシーバ本体１８を前方へ押圧するため、レシーバ本体１８の前端部を包囲して圧接しているガスケット２２とレシーバ本体１８間、及び、レシーバ本体１８の前端部を包囲して圧接しているガスケット２２とハウジング２０間の密接が高まる。このため、レシーバ本体１８とガスケット２２の密閉性が接着剤等のシール材を塗布することなく確保されて音漏れが防止できる。又、シールのための接着剤は使用することがないため、接着剤を使用する場合と異なり、レシーバ本体１８とガスケット２２との間、及びガスケット２２とハウジング２０の間の一部にピンホール状の隙間ができることがなく、組立作業に起因する特性バラツキが抑制されるとともに組立性がよくなる。又、接着剤を使用しないため、接着剤除去のための作業は必要でなくなり分解性がよくなる。
【００４３】
（２）  又、本実施形態の挿入型イヤホン１０においては、コード２４にはコード２４がレシーバユニット１２のハウジング２０から抜け出るのを防止する結び目２４ｂ（抜け止め部）が設けられている。そして、結び目２４ｂは、レシーバ本体１８の後端部を圧接して配置されたスペーサ３６を介してハウジング２０内に圧接固定するようにした。この結果、本実施形態ではコード２４の結び目２４ｂにより、レシーバ本体１８の後端部を圧接して配置されたスペーサ３６を介してレシーバ本体１８をハウジング２０内に圧接固定できる。
【００４４】
（３）  又、本実施形態の挿入型イヤホン１０においては、レシーバ本体１８の後端部を圧接しているスペーサ３６が結び目２４ｂをハウジング２０内に圧接固定しているようにした。この結果、コード２４の結び目２４ｂは、ハウジング２０とレシーバ本体１８の後端部を圧接して配置されたスペーサ３６とにより挟圧されてハウジング２０内で固定されるため、コード２４の結び目２４ｂに大きな引張力が働いた際にも、結び目２４ｂがこの挟圧により保持されて、ハウジング２０から抜け出ることが防止できる。
【００４５】
（４）  又、本実施形態の挿入型イヤホン１０においては、コード２４は、ハウジング２０に形成された貫通部位、すなわちコード引き出し部３０Ｂの挿通孔３０Ｂａを介して貫通されている。そして、結び目２４ｂは、レシーバ本体１８の後端部を圧接して配置されたスペーサ３６により挿通孔３０Ｂａの軸心Ｏからオフセットして保持されている。すなわち、スペーサ３６は挿通孔３０Ｂａに対して離間した状態で重ね合うように配置されている。
【００４６】
この結果、コード２４の結び目２４ｂに大きな引張力が働いた際に、レシーバ本体１８の後端部を圧接して配置されたスペーサ３６が障害となって、結び目２４ｂがオフセット位置において挟圧により保持されることによるハウジング２０からの抜け出し防止効果をより高めることができる。
【００４７】
（５）  又、本実施形態では、コード２４は、回路基板４０を介してレシーバ本体１８に接続され、回路基板４０は、レシーバ本体１８の後端部を圧接して配置されたスペーサ３６によりハウジング２０に対して圧接固定されているようにした。この結果、回路基板４０がレシーバ本体１８の後端部を圧接して配置されたスペーサ３６によりハウジング２０に対して圧接固定されるため、回路基板４０とコード２４の端末部２４ａ（すなわち、ワイヤ）との接続部のハウジング２０に対する相対位置が安定する。このため、実使用において、コード２４の端末部２４ａと回路基板４０との接続部（例えば、半田付け部分）の断線が防止できる。
【００４８】
（６）  又、本実施形態では、キャップ２８、結び目２４ｂ、及びスペーサ３６を介してレシーバ本体１８が押圧され、レシーバ本体１８の前端がガスケット２２の前端の内頂部に押圧される。そして、この押圧によって、ガスケット２２の内頂部及び該内頂部に近傍の収納孔２２ｃを区画する壁面が、弾性的に変形されてレシーバ本体１８の前端部に対して密接されている。又、ガスケット２２の内頂部がレシーバ本体１８の前端部に押圧されていることにより、ガスケット２２の前端部がハウジング本体２６の収納空間２６Ａａの内頂部に密接されている。この結果、レシーバ本体１８、ガスケット２２、ハウジング本体２６の前端部間での密閉度が上がり、音漏れが防止できる。そして、密閉度が向上できることから、組立作業における特性バラツキを抑制することができる。
【００４９】
（７）  又、本実施形態では、レシーバ本体１８の周囲が弾性を有するガスケット２２とスペーサ３６により包囲されて保持されることにより、挿入型イヤホン１０が落下した時等のように衝撃があった場合、外部衝撃からレシーバ本体１８を保護できる効果がある。
【００５０】
（８）  又、本実施形態では、コード２４の結び目２４ｂは、寸法バラツキがあるが、そのバラツキは弾性を有するスペーサ３６の弾性変形で吸収させることができ、このことにより、製品の組立制、信頼性（すなわち、構造の安定性）を向上させることができる。
【００５１】
（９）  又、本実施形態では、レシーバ本体１８を収納するハウジング２０は、コード引き出し部材３０を除いた大部分が金属製のハウジング本体２６とキャップ２８で構成されている。そして、ガスケット２２やスペーサ３６はハウジング本体２６内に収納してレシーバ本体１８を固定保持するようにしている。この結果、挿入型イヤホン１０における外装部材（ハウジング本体２６とキャップ２８）には経時劣化がなく、長期的に使用できる効果がある。
【００５２】
なお、この実施形態は下記のように変更して具体化することも可能である。
○  図６に示すように、前記実施形態の構成に加えて、コード２４にワッシャ５０を挿通させ、挿通孔３０Ｂａを有する回り止め突起３０Ａａに対して、前記結び目２４ｂをワッシャ５０を介して係止させるようにしてもよい。
【００５３】
このように構成されていると、コード２４が引っ張られたときに、結び目２４ｂがワッシャ５０を介してコード引き出し部材３０に係合されるため、前記実施形態よりもより引張り力に抵抗できる。
【００５４】
○  図７に示すようにスペーサ３６とガスケット２２とを一体に連結するようにしてもよい。この場合、図１、図６の２点鎖線２２Ｌで示す部位まで、前記各実施形態のガスケット２２を延長させてスペーサ３６に対してヒンジ部２２ｄを介して連結するものとする。なお、スペーサ３６とガスケット２２は、共通の弾性材にて形成してもよく、或いは２色成形してもよい。
【００５５】
○  前記各実施形態では、コード２４に抜け止め部として結び目２４ｂを形成したが、抜け止め部としてコード２４に、金属製等からなる鳩目を嵌着してもよい。又、コード２４の一部をコード本体から放射方向に突出した部位を形成して、該突出した部位を抜け止め部としてもよい。
【００５６】
○  前記実施形態では、ハウジング本体２６は略円筒状に形成したが、この形状に限定されるものではなく、例えば、四角筒状や、多角筒状等の形状にしてもよい。
○  前記実施形態では、キャップ２８を嵌合部２６Ｂに対し、突条２６Ｂｃが環状溝２８ａに圧入して取着するようにしたが、環状溝２８ａを嵌合部２６Ｂに対して螺着するようにしてもよい。
【００５７】
○  前記実施形態では、レシーバ本体１８は、バランスドアーマチャ型のレシーバとしたが、ダイナミックレシーバや他の形式のレシーバであってもよい。
【図面の簡単な説明】
【００５８】
【図１】本発明を具体化した一実施形態の挿入型イヤホンの断面図。
【図２】同じく挿入型イヤホンの分解斜視図。
【図３】同じく挿入型イヤホンの要部分解平面図。
【図４】同じく挿入型イヤホンの要部断面図。
【図５】同じくコード引き出し部材の要部側面図。
【図６】他の実施形態の一実施形態の挿入型イヤホンの断面図。
【図７】他の実施形態の挿入型イヤホンの分解斜視図。
【符号の説明】
【００５９】
１０…挿入型イヤホン、１２…レシーバユニット、１４…イヤーチップ、
１６…音導管、１８…レシーバ本体、２０…ハウジング、
２２…ガスケット（弾性支持部材）、２４…コード、３０…コード引き出し部材、
３６…スペーサ（弾性支持部材）、４０…回路基板。
【図１】
2008109206.tif 000003
【図２】
2008109206.tif 000004
【図３】
2008109206.tif 000005
【図４】
2008109206.tif 000006
【図５】
2008109206.tif 000007
【図６】
2008109206.tif 000008
【図７】
2008109206.tif 000009